(57)【要約】【課題】チャンバー内での照射光量の均一化が図れる耐光性試験機、特に一部の光源を消灯したときでも照射光量を均一化することのできる耐光性試験機を提供すること。【解決手段】チャンバーの４壁面に複数の光源を設け、チャンバー内に試料置き台を有する耐光性試験機において、４壁面が構成する４隅に反射鏡をチャンバー中央に向けて設置したことを特徴とする耐光性試験機。【選択図】  図１
2004301536.tif 000002
【特許請求の範囲】
【請求項１】
チャンバーの４壁面に複数の光源を設け、チャンバー内に試料置き台を有する耐光性試験機において、４壁面が構成する４隅に反射鏡をチャンバー中央に向けて設置したことを特徴とする耐光性試験機。
【請求項２】
反射鏡が平面反射鏡である請求項第１項記載の耐光性試験機。
【請求項３】
試料置き台が網目状板である請求項第１項記載の耐光性試験機。
【請求項４】
反射鏡の全面積が、光源が設けられた壁面の全面積の、６分の１ないし８分の１である請求項第１項記載の耐光性試験機。
【発明の詳細な説明】
【０００１】
【発明の属する技術分野】
本発明は、耐光性試験機に関し、更に詳細には、種々の被験試料について、均一に光を照射することができ、正確に経時光劣化を調べることのできる耐光性試験機に関する。
【０００２】
【従来の技術】
従来より、医薬品、香粧品、飲食品等では、光を照射しこれに対する経時的な変化を試験することが行われている。このために、耐光性試験機が利用されているが、この耐光性試験機はそのチャンバーの壁面に光源として複数の蛍光ランプを取り付けたものであり、チャンバー内に設けられた試料置き台上に被験試料を置いて光を照射するというものである。そして、被験試料に対する照射光量の調節は、蛍光灯の点灯本数を変えることにより行われている。
【０００３】
しかしながら、従来の耐光性試験機にはチャンバー内の被験試料を置く位置によって照射光量が異なるという問題があった。特に、点灯する蛍光灯の本数を減らした場合には、その問題がより大きかった。そして、このような照射光量の不均一は、被験試料ごとに異なる経時変化を招き、被験試料の光安定性の正確な評価を難しくしていた。
【０００４】
このようなことから、耐光性試験機において、照射光量を均一化させるための工夫がいくつか知られている。例えば、試験機内の壁面の光を不規則に反射する光反射面にする方法（例えば、特許文献１参照）や、試料台を回転させる方法（例えば、特許文献２参照）などである。
【０００５】
しかし、前者の方法は、実際には照射光量の均一化につながらず、また、後者の方法では照射光量の均一化は期待できるものの、装置が複雑となるという問題があった。
【０００６】
従って、簡単な機構でありながら照射光量を均一とすることのできる耐光性試験機の開発が求められていた。
【０００７】
【特許文献１】
特開平８−２１０９６９号公報
【特許文献２】
特開平５−７２１１６号公報
【０００８】
【発明が解決しようとする課題】
本発明は、上記実情に鑑みなされたものであり、チャンバー内での照射光量の均一化が図れる耐光性試験機、特に一部の光源を消灯したときでも照射光量を均一化することのできる耐光性試験機の提供をその課題とするものである。
【０００９】
【課題を解決するための手段】
本発明者は、上記課題を解決すべく、鋭意研究を行った結果、一般には四角形である耐光性試験機のチャンバー内において、その四隅が照射光量の不均一の大きな原因の一つであることに気づいた。そして、この四隅に、反射鏡を置くことにより、チャンバー内での照射光量の均一性が高まることを見出し、本発明を完成した。
【００１０】
すなわち本発明は、チャンバーの４壁面に複数の光源を設け、チャンバー内に試料置き台を有する耐光性試験機において、４壁面が構成する４隅に反射鏡をチャンバー中央に向けて設置したことを特徴とする耐光性試験機である。
【００１１】
【発明の実施の形態】
次に、本発明の耐光性試験機の一態様を示す図面と共に、本発明を更に詳しく説明する。
【００１２】
図１は、本発明の耐光性試験機の概念図である。本図は、内部の構造を示すためにチャンバーを透視したものである。また、図面が煩雑にならないように、実際には右側面および正面にも設けられる蛍光灯（光源）は示していない。
【００１３】
図１に示すように、耐光性試験機１のチャンバーは、４壁面に囲まれた直方体形状であり、正面の壁面は開閉可能となっている。この４壁面には、蛍光灯（光源）２が複数設けられている。また、この４壁面で構成する４隅には、反射鏡３が設けられている。更に、これらの光源２および反射鏡３と接触しないように、チャンバー内に、試料置き台４が設けられている。この試料置き台４は、壁面に設けられた保持部材（図示せず）により保持される。
【００１４】
本態様において、光源２は蛍光灯になっているが、必ずしもこれに限らず、耐光性試験に適した種々の光源を使用することができる。この光源２の強度も、特に制約されず、耐光性試験に応じて適当な強度の光源を用いることができる。
【００１５】
また、反射鏡３は、ガラス製、金属製等の平面鏡を使用することができる。この反射鏡３は、チャンバーの中央に対向して設けることが好ましい。また、反射鏡の大きさは特に制限はないが、反射鏡の全面積を、光源２が設けられた４壁面の全面積の６分の１ないし８分の１程度とすることが好ましい。
【００１６】
更に、試料置き台４は、平板であっても良いが、光暴露の効率を上げるために、網状のものであることが好ましく、その段数は、被験試料の大きさに応じて適宜変更することが望ましい。
【００１７】
本発明の耐光性試験機を用いて、耐光性試験を行うには、まず被験試料を試料置き台４の上に並べる。このとき、被験試料の数はあまり多くせず、それぞれの間に適度な空間ができるようにすることが望ましい。次いで、光源２を点灯し、所定時間照射する。光源が、例えば蛍光灯である場合に、照射光量を減らすには、点灯する蛍光灯の数を減らせばよい。
【００１８】
以上説明した本発明の耐光性試験機には、必要によりチャンバー中心に、更に多角柱型または円柱型の反射鏡を置くこともでき、より均一な光照射を行うことも可能である。また、必要に応じ、温度調節の機構を設けても良い。
【００１９】
【作用】
本発明の耐光性試験機によれば、４隅に設けられた反射鏡により光源からの光が反射され、光の照射が均一化される。
【００２０】
従って、被験試料に対する光照射の差が少なくなり、被験試料自体の経時変化が明確となって、被験試料の光安定性の正確な評価が可能となる。
【００２１】
【実施例】
次に実施例を挙げ、本発明を更に詳しく説明するが、本発明はこれら実施例に何ら制約されるものではない。
【００２２】
実  施  例  １
図１に示すものとほぼ同様な構成を有する、チャンバーがＷ５００ｍｍ×Ｄ５２６ｍｍ×Ｈ９５０ｍｍ光試験装置（ＢＥＣＩＩ−３５０ｎ；島津製作所製）を用い、その４隅に反射板を置いたときの照射の均一性を調べた。この光試験装置のチャンバー内を、４枚の網目状の棚板で仕切り、角棚板の四隅に、Ｗ１００ｍｍ×Ｈ２００ｍｍの平面反射鏡を、チャンバー中心に向けて設置した。
【００２３】
ついで、棚板を図２に示すような１２のエリアに分け、上記光試験装置の光源が全部点灯した状態（１００％照射；前後面は各８本の蛍光灯、左右側面は各６本の蛍光灯が点灯）で各エリアごとに照度計によってその照度を測定した。照度測定結果を、平均値、最大値、最小値、最大値と最小値の差（照度差）および標準偏差で示した。
【００２４】
なお、比較としては、４隅に反射鏡を置かない以外は、上記と同様にして測定した結果を用いた。これらの結果を、表１に示す。
【００２５】
【表１】
2004301536.tif 000003
【００２６】
実  施  例  ２
光試験装置の約半分の光源のみを点灯した状態（５０％照射；前後面は各４本の蛍光灯、左右側面は各３本の蛍光灯が点灯）で測定を行う以外は実施例１と同様にして照度を測定した。この結果を表２に示す。
【００２７】
【表２】
2004301536.tif 000004
【００２８】
【発明の効果】
本発明の耐光性試験機によれば、より均一な照度の条件下で耐光性試験を行うことができ、より正確に被験試料の光安定性を測定することができる。
【００２９】
特に、均一の光照射が難しい、照射量を減らした場合にあっても、均一性の高い光照射ができるので、医薬品、香粧品、飲食品等あまり強い光照射が必要とされない被験試料について、正確な光安定性の試験が可能となる。
【図面の簡単な説明】
【図１】本発明の耐光性試験機の概念図である。
【図２】実施例における棚板のエリア分けを示す図面である。
【符号の説明】
１  …  …  耐光性試験機
２  …  …  蛍光灯（光源）
３  …  …  反射鏡
４  …  …  試料置き台
以    上
【図１】
2004301536.tif 000005
【図２】
2004301536.tif 000006